(57)【要約】      （修正有）【課題】近視や遠視などの視力悪化を防止でき、ブルーライトや紫外線などから目を保護できるレンズを提供する。【解決手段】透明の樹脂材料により板状に形成されている基材１と、基材に積層されている複合材料２と、を有するレンズであって、複合材料２は、紫外線防止層２１と、光フィルター２２と、ハードコート層２３と、電磁波放射線防止層２４と、反射防止層２５と、が積層されている。光フィルターは、波長が４３５ｎｍ〜４６０ｎｍの光を８５％以上通過させ、それ以外の波長の光を４０％以上吸収する青色層２２１と、波長が４３５ｎｍ〜５６５ｎｍの光を９０％以上通過させ、それ以外の波長の光を４０％以上吸収するグラスグリーン層２２２と、が積層されているのが好ましい。【選択図】図１
0003201069.tif 000002
【実用新案登録請求の範囲】
【請求項１】
透明の樹脂材料により板状に形成されている基材と、前記基材に積層されている複合材料と、を有するレンズであって、
前記複合材料は、紫外線防止層と、光フィルターと、ハードコート層と、放射線防止層と、反射防止層と、が積層されて構成されていることを特徴とするレンズ。
【請求項２】
前記光フィルターは、可視光線において波長が４３５ｎｍ〜４６０ｎｍの範囲内の光を８５％以上通過させ、それ以外の波長の光を４０％以上吸収する青色層と、可視光線において波長が４３５ｎｍ〜５６５ｎｍの範囲内の光を９０％以上通過させ、それ以外の波長の光を４０％以上吸収するグラスグリーン層と、が積層されるように構成されていることを特徴とする請求項１に記載のレンズ。
【請求項３】
前記光フィルターは、波長が５８０ｎｍ〜６２０ｎｍの範囲内の光を８５％以上通過させ、それ以外の波長の光を４０％以上吸収する黄色層であることを特徴とする請求項１に記載のレンズ。
【請求項４】
前記光フィルターは、波長が６４０ｎｍ〜７００ｎｍの範囲内の光を９０％以上通過させ、それ以外の波長の光を４０％以上吸収する赤色層であることを特徴とする請求項１に記載のレンズ。
【請求項５】
前記複合材料は、前記紫外線防止層が前記ハードコート層と前記基材との間に配置され、
前記光フィルターは、前記紫外線防止層と前記ハードコート層との間に配置されるように構成されていることを特徴とする請求項１〜請求項４のいずれか一項に記載のレンズ。
【請求項６】
前記青色層は、前記紫外線防止層と前記グラスグリーン層との間に配置されていることを特徴とする請求項２に記載のレンズ。
【請求項７】
前記複合材料は、曇り防止層が更に積層されるように構成されていることを特徴とする請求項１〜請求項６のいずれか一項に記載のレンズ。
【請求項８】
前記複合材料は、前記基材の両面に積層されていることを特徴とする請求項１〜請求項７のいずれか一項に記載のレンズ。
【考案の詳細な説明】
【技術分野】
【０００１】
本考案はレンズに関し、特に、ブルーライトや紫外線などから目を保護する機能を持つメガネ用のレンズに関する。
【背景技術】
【０００２】
一般のメガネに使用するレンズは、近視や遠視など視力の異常を補正する機能を有するが、視力の悪化を防止する機能を持たない。しかし、近年ではスマートフォンの普及により、日常の生活でディスプレイを見る時間が以前より大幅に長くなっているので、ブルーライトにより目が加齢黄斑変性する可能性が高くなり、更に、太陽光に含む紫外線も目に悪影響を有するので、メガネに使用するレンズには、ブルーライトや紫外線などから目を保護する機能も求められている。
【考案の概要】
【考案が解決しようとする課題】
【０００３】
上記問題点に鑑みて、本考案は、近視や遠視などの悪化を防止できる上に、ブルーライトや紫外線などから目を保護できるレンズの提供を目的とする。
【課題を解決するための手段】
【０００４】
上記目的を達成すべく、本考案は、透明の樹脂材料により板状に形成されている基材と、前記基材に積層されている複合材料と、を有するレンズであって、前記複合材料は、紫外線防止層と、光フィルターと、ハードコート層と、放射線防止層と、反射防止層と、が積層されて構成されていることを特徴とするレンズを提供する。
【考案の効果】
【０００５】
上記構成により、本考案は、紫外線防止層と、光フィルターと、ハードコート層と、放射線防止層と、反射防止層と、が積層されて構成されている複合材料を有すようにレンズを構成するので、紫外線や放射線を防止する機能を有する上、異なる光フィルターを使用することにより、近視や遠視の悪化を抑える効果がある。
【図面の簡単な説明】
【０００６】
【図１】本考案のレンズの一実施形態の部分断面図である。
【考案を実施するための形態】
【０００７】
以下では図１を参照しながら、本考案の一実施形態について詳しく説明する。
【０００８】
本考案のレンズは、透明の樹脂材料により板状に形成されている基材１と、基材１の両面それぞれに積層されている複合材料２と、を有している。
【０００９】
複合材料２は、紫外線防止層２１と、光フィルター２２と、ハードコート層２３と、放射線防止層２４と、反射防止層２５と、曇り防止層２６と、が積層されて構成されている。また、紫外線防止層２１はハードコート層２３と基材１との間に配置され、光フィルター２２は、紫外線防止層２１とハードコート層２３との間に配置されるように構成されている。  
【００１０】
紫外線防止層２１は、炭化水素ポリオール系（メタ）アクリレート化脂肪族ウレタンオリゴマー（ｈｙｄｒｏｃａｒｂｏｎ ｐｏｌｙｏｌ−ｂａｓｅｄ (ｍｅｔｈ)ａｃｒｙｌａｔｅｄ ａｌｉｐｈａｔｉｃ ｕｒｅｔｈａｎｅ ｏｌｉｇｏｍｅｒ）により作成されて、波長が４００ｎｍ以下の紫外線を遮断できる。
【００１１】
光フィルター２２は、可視光線において波長が４３５ｎｍ〜４６０ｎｍの範囲内の光を８５％以上通過させ、それ以外の波長の光を４０％以上吸収する青色層２２１と、可視光線において波長が４３５ｎｍ〜５６５ｎｍの範囲内の光を９０％以上通過させ、それ以外の波長の光を４０％以上吸収するグラスグリーン層２２２と、が積層されるように構成されている。また、青色層２２１は、紫外線防止層２１とグラスグリーン層２２２との間に配置されている。青色層２２１及びグラスグリーン層２２２により構成されている光フィルター２２を有するレンズを近視矯正用メガネのレンズとして使用すると、目の毛様筋が弛緩するので、目の疲れを緩和し、更に近視及び乱視の悪化を抑える効果がある。
【００１２】
なお、光フィルター２２は、波長が５８０ｎｍ〜６２０ｎｍの範囲内の光を８５％以上通過させ、それ以外の波長の光を４０％以上吸収する黄色層、または、波長が６４０ｎｍ〜７００ｎｍの範囲内の光を９０％以上通過させ、それ以外の波長の光を４０％以上吸収する赤色層により構成することもできる。
【００１３】
黄色層により構成されている光フィルター２２を有するレンズをメガネのレンズとして使用すると、暗い場所でよりはっきりと物が見えるので、夜間に使用することが好適である。
【００１４】
赤色層により構成されている光フィルター２２を有するレンズを遠視矯正用メガネのレンズとして使用すると、該メガネの着用者の瞳孔径が大きくなるので、目の疲れを緩和し、更に遠視及び乱視の悪化を抑える効果がある。
【００１５】
ハードコート層２３は、レンズに傷がつくことを防止する効果がある。
【００１６】
放射線防止層２４は、導電性を有するインジウムスズ酸化物（ｉｎｄｉｕｍ ｔｉｎ ｏｘｉｄｅ  ＩＴＯ）層及び透明度が高いフッ化マグネシウム（ｍａｇｎｅｓｉｕｍ ｆｌｕｏｒｉｄｅ  ＭｇＦ２）層により構成され、ハードコート層２３の光フィルター２２が設置されていない側に設置されている。
【００１７】
反射防止層２５は、放射線防止層２４のハードコート層２３が設置されていない側に設置されている。曇り防止層２６は、反射防止層２５の放射線防止層２４が設置されていない側に設置されている。
【００１８】
この構成によれば、本考案のレンズは、紫外線や放射線を防止する機能を有する上、異なる光フィルターを使用することにより、近視や遠視の悪化を抑える効果があり、または夜間に使用することに好適である。
【００１９】
なお、本考案のレンズは、上記実施形態において、基材１の両面それぞれに複合材料２が積層された構成としたが、これに限らず、基材１の片面だけに複合材料２が積層されている構成としてもよい。
【産業上の利用可能性】
【００２０】
本考案のレンズは、一般の目を保護する装置に使用でき、特に、メガネ用のレンズに使用することに好適である。
【符号の説明】
【００２１】
１  基材
２  複合材料
２１  紫外線防止層
２２  光フィルター
２２１  青色層
２２２  グラスグリーン層
２３  ハードコート層
２４  放射線防止層
２５  反射防止層
２６  曇り防止層
【図１】
0003201069.tif 000003